(57)【特許請求の範囲】
【請求項１】
文字板と、
該文字板の外縁部に沿って配置される光透過性の見返しリングと、
該見返しリングの外周面に発電領域が対向するとともに、前記見返しリングを取り囲むように配置した太陽電池とを有する太陽電池付き電子時計であって、
前記見返しリングの外周面と前記太陽電池との間に透過性反射板を配置し、
前記透過性反射板は、前記見返しリングの外周面を取り囲む帯状部と、複数の突起部とを有し、
該複数の突起部を、前記帯状部の長さ方向の両端部近傍に設け、
前記複数の突起部を、前記見返しリング側又は、その反対側に折り曲げ可能に形成し、
前記太陽電池付き電子時計は、前記太陽電池を前記見返しリングの前記外周面に対向した状態に保持するために、前記太陽電池の外側に立設する保持部が形成された太陽電池保持部材を有し、
前記透過性反射板が前記見返しリングの外周面と前記太陽電池との間に配置された状態で、折り曲げられた前記突起部を係止する係止部を、前記見返しリング又は前記太陽電池保持部材に設けたこと特徴とする太陽電池付き電子時計。
【請求項２】
前記複数の突起部を、前記帯状部から前記文字板とは反対側に突出するように、前記透過性反射板に設けたことを特徴とする請求項１に記載の太陽電池付き電子時計。
【請求項３】
前記複数の突起部を、前記係止部に係止した状態で、前記透過性反射板における長さ方向の一方の端部が、前記透過性反射板の帯状部に重なる位置に、前記突起部と前記係止部を、それぞれ、前記透過性反射板と前記見返しリング又は前記太陽電池保持部材とに設けたことを特徴とする請求項１又は２に記載の太陽電池付き電子時計。
【請求項４】
前記突起部を前記太陽電池保持部材側に折り曲げ、前記係止部を前記太陽電池保持部材に設けたことを特徴とする請求項１〜３のいずれか１項に記載の太陽電池付き電子時計。
【発明の詳細な説明】
【技術分野】
【０００１】
本発明は、太陽電池を時計の駆動に利用した太陽電池付き電子時計に関する。
【背景技術】
【０００２】
太陽電池付き電子時計は、内蔵する太陽電池によって、光エネルギーを電気エネルギーに変換して時計の駆動に利用するため、光エネルギーがある限り発電を続けて時計を駆動する事が可能である。その為、太陽電池付き電子時計は、内蔵電池の交換が不要であり、使用済みの廃棄電池が発生することもないので、環境負担が小さい等の利点がある。
【０００３】
近年、特許文献１に開示されているように、リング状の太陽電池を内部に備えた、太陽電池付き電子時計が提案されている。これに用いられる太陽電池は、フレキシブルプリント基板上に発電層を形成し、それを短冊状に切り出して、丸めてリング状に変形している。そして、この太陽電池は、光を透過する見返しリングの外周面に対向して直立して配置している。
【０００４】
特許文献１のような太陽電池付き電子時計は、文字板の背面に太陽電池を配置した太陽電池付き電子時計のように、光を透過する文字板を用いる必要がないため、文字板のデザインが制約されない。
【０００５】
さらに、特許文献１には、見返しリングの内周面または外周面に金属薄膜または光学干渉膜などを形成することにより、見返しリングを介して太陽電池が視認されるのを防ぐことが記載されている。
【先行技術文献】
【特許文献】
【０００６】
【特許文献１】特開２００１−３０５２４９号公報（段落００２５，００３３、図３（ｂ））
【発明の概要】
【発明が解決しようとする課題】
【０００７】
しかしながら、特許文献１に記載の太陽電池付き電子時計は、見返しリングに形成する金属薄膜や光学干渉膜が、見返しリングの外周面に対向する太陽電池によって、時計が駆動できる程度に発電が可能な透過率を維持し、太陽電池の視認を妨げられる外観が得られる厚さに形成する必要がある。そのため、金属薄膜や光学干渉膜の膜厚のコントロールが非常に難しく、見返しリングに外観のばらつきが生じる。また、見返しリングの内周面を除き、膜を形成しない部分にマスク処理が必要なため、薄膜を形成する際の作業性が悪いという問題点があった。
【０００８】
本発明は、このような事情に鑑みなされたものであって、デザインが制約されない文字板を使用でき、見返しリングに付与される装飾効果のばらつきが少なく、且つ見返しリングに容易に装飾効果を付与することができる太陽電池付き電子時計を提供することを目的とする。
【課題を解決するための手段】
【０００９】
本発明の太陽電池付き電子時計は、文字板と該文字板の外縁部に沿って配置される光透過性の見返しリングと、該見返しリングの外周面に発電領域が対向するとともに、前記見返しリングを取り囲むように配置した太陽電池とを有する太陽電池付き電子時計であって、前記見返しリングの外周面と前記太陽電池との間に透過性反射板を配置し、透過性反射板は、見返しリングの外周面を取り囲む帯状部と、複数の突起部とを有し、該複数の突起部を、帯状部の長さ方向の両端部近傍に設け、複数の突起部を、見返しリング側又は、その反対側に折り曲げ可能に形成し、太陽電池付き電子時計は、太陽電池を見返しリングの外周面に対向した状態に保持するために、太陽電池の外側に立設する保持部が形成された太陽電池保持部材を有し、透過性反射板が見返しリングの外周面と太陽電池との間に配置された状態で、折り曲げられた突起部を係止する係止部を、見返しリング又は太陽電池保持部材に設けたことを特徴とする。
【００１１】
また、本発明の太陽電池付き電子時計は、前記複数の突起部を、前記帯状部から前記文字板とは反対側に突出するように、前記透過性反射板に設けたことを特徴とする。
【００１４】
また、本発明の太陽電池付き電子時計は、前記複数の突起部を、前記係止部に係止した状態で、前記透過性反射板における長さ方向の一方の端部が、前記透過性反射板の帯状部に重なる位置に、前記突起部と前記係止部を、それぞれ、前記透過性反射板と前記見返しリング又は前記太陽電池保持部材とに設けたことを特徴とする。
【００１５】
また、本発明の太陽電池付き電子時計は、前記突起部を前記太陽電池保持部材側に折り曲げ、前記係止部を前記太陽電池保持部材に設けたことを特徴とする。
【発明の効果】
【００１８】
本発明によれば、見返しリングに付与される装飾効果のばらつきが少なく、且つ見返しリングに容易に装飾効果を付与することができる太陽電池付き電子時計を提供することが可能である。
【図面の簡単な説明】
【００１９】
【図１】本発明の実施形態に係る太陽電池付き電子時計の図であり、（ａ）は平面図、（ｂ）はＶ−Ｖ線断面図である。
【図２】図１に示した実施形態に係る太陽電池付き電子時計の図であり、透過性反射板付近を拡大して示した断面図である。
【図３】図２に示した太陽電池付き電子時計に用いられる透過性反射板の図であり、（ａ）は平面図、（ｂ）は端部を拡大して示した平面図である。
【図４】図２に示した太陽電池付き電子時計に用いられるリング状太陽電池を示す図であり、（ａ）は斜視図、（ｂ）は要部を拡大した平面図である。
【図５】図２に示した実施形態に係る太陽電池付き電子時計における光の経路を示した図である。
【図６】図２に示した実施形態に係る太陽電池付き電子時計における見返しリングの上面斜視図である。
【図７】図２に示した実態形態に係る太陽電池付き電子時計における透過性反射板の配置方法を説明する図であり、（ａ）は、見返しリングの外周面に透過性反射板を配置する前の状態を示した図、（ｂ）〜（ｄ）は、透過性反射板を見返しリングに巻き付ける作業を始めてから終えるまでの状態を示した図である。
【図８】本発明における太陽電池付き電子時計の第１の変形例に係る図であり、（ａ）は透過性反射板の平面図、（ｂ）は見返しリングの凸部付近を示した図、（ｃ）は透過性反射板を配置した状態で見返しリングの凸部付近を示した図である。
【図９】本発明における太陽電池付き電子時計の第２の変形例に係る図であり、（ａ）は、透過性反射板の平面図、（ｂ）は、透過性反射板の側面図、（ｃ）は、太陽電池保持部材の段差部付近を示した図、（ｄ）は、透過性反射板を配置した状態で太陽電池保持部材の段差部付近を示した図、（ｅ）は、透過性反射板を配置した状態の透過性反射板付近を拡大して示した太陽電池付き電子時計の断面図である。
【図１０】本発明における太陽電池付き電子時計の第３の変形例に係る図であり、（ａ）は、透過性反射板の平面図、（ｂ）は透過性反射板の上面図、（ｃ）は、透過性反射板を見返しリングの外周に配置した状態の図である。
【図１１】本発明における太陽電池付き電子時計の第４の変形例に係る図であり、（ａ）は、透過性反射板の平面図、（ｂ）は、透過性反射板の両端部を係合した状態で拡大した平面図、（ｃ）は、透過性反射板の両端部が係合しない状態で拡大した平面図である。
【図１２】本発明における太陽電池付き電子時計の第５の変形例に係る図であり、（ａ）は、透過性反射板の両端部が係合しない状態で拡大した斜視図、（ｂ）は、透過性反射板の両端部を係合した状態で拡大した斜視図である。
【発明を実施するための形態】
【００２０】
以下、図面を用いて本発明の実施形態を説明する。
【００２１】
図１（ａ）は本発明にかかる太陽電池付き電子時計の実施形態を示す平面図で、（ｂ）はそのＶ−Ｖ線断面図である。
【００２２】
２０は太陽電池付き電子時計であり、１は風防ガラス、２は光入射側を時計中心に向けたリング状太陽電池、３は透光性の見返しリング、４は時刻を表示する指針、５は文字板、６は指針４を駆動するムーブメント、７は時計ケース、８は透過性反射板、９は太陽電池保持部材である。
【００２３】
図２は本実施形態の見返しリング３、透過性反射板８、リング状太陽電池２の付近を拡大して示した太陽電池付き電子時計２０の断面図である。太陽電池保持部材９は、ムーブメント６を保持する中枠の一部であり、これに、文字板５の外縁部に沿って見返しリング３が配置され、見返しリング３の外側に、見返しリング３の外周面に沿って透過性反射板８がリング状に配置されている。さらに、透過性反射板８の外側に、透過性反射板８の外周面に沿ってリング状太陽電池２が配置されている。太陽電池保持部材９は、中枠とは別体で、リング状太陽電池２だけを保持する部材でも良い。
【００２４】
図１及び図２に示した構成により、太陽電池付き電子時計２０は、風防ガラス１及び見返しリング３を通して入射した光をリング状太陽電池２が受光し、リング状太陽電池２が発電した電力でムーブメント６を駆動して、時計としての動作をすることができる。
【００２５】
見返しリング３の材質は、加工性と透光性とが要求されるため、加工性に優れ、透明な
樹脂として、例えば、アクリル樹脂、またはポリカーボネイト樹脂のいずれかであることが望ましい。見返しリング３は、これらの樹脂によって、射出成形にてリング状で透明に形成している。但し、見返しリング３の材質は、加工性よりもデザインや装飾性等を優先し、ガラス等の樹脂以外の透明な材質も適用が可能である。
【００２６】
また、見返しリング３の内側面を風防ガラス１側に傾けた斜面で構成し、風防ガラス１を介して入射する光をより採光しやすくしている。但し、リング状太陽電池２が、ムーブメント６を駆動できる程度に発電できれば、見返しリング３の内側面は、他の形状でも構わない。
【００２７】
また、太陽電池付き電子時計２０は、図１（ａ）に示したように、平面図の外形形状が略円形形状に限らず、角形形状や樽形形状のものを用いた場合に、これに応じて、見返しリング３も、角形、樽形形状のものが適用可能である。
【００２８】
図３は、本実施形態に係る太陽電池付き電子時計に用いられる透過性反射板８の図であり、（ａ）は平面図、（ｂ）は端部を拡大して示した平面図である。
【００２９】
透過性反射板８は、図３（ａ）に示すように可撓性を有する細長い帯状の形状であり、見返しリング３とリング状太陽電池２の間に見返しリング３を囲むように湾曲させて配置している。
【００３０】
透過性反射板８は、光の透過と反射の両方の光学特性を有し、反射光により外観が鏡面のように見える。透過性反射板８として、例えば、ポリエチレンテレフタレート（ＰＥＴ）樹脂等の薄層を多層に積層することにより、薄層同士の境界で干渉反射を生じさせるフィルムで構成され、光の透過率は８０％で、厚みは１５０μｍ〜１００μｍのものを用いることができる。図３（ａ）に示すような帯状の形状の透過性反射板８を得るために、シート状の大きな透過性反射板から所要の幅、長さに切断加工や抜き加工をしている。
【００３１】
透過性反射板８は、帯状部８ａと、帯状部８ａから文字板５とは反対側に突出する複数の突起部１０とを有し、複数の突起部１０は帯状部８ａの長さ方向の両端部近傍に設けている。尚、透過性反射板８は、見返しリング３を囲むように配置する際に、突起部１０を見返しリング３側又は、その反対側に９０度に折り曲げる。また、突起部１０をあらかじめ折り曲げ加工により見返しリング３側又は、その反対側に９０度折り曲げた状態に形成しておいても良い。
【００３２】
図３（ｂ）に示すように、突起部１０は略Ｔ字形状に形成され、略Ｔ字形状を構成する縦線の部分１０ａと横線の部分１０ｂとを有している。
【００３３】
そして、透過性反射板８が見返しリング３の外周面とリング状太陽電池２との間に配置された状態では、後述するように、透過性反射板８の９０度折り曲げられた突起部１０が、見返しリング３又は太陽電池保持部材９に係止される。
【００３４】
図４は、本実施形態にかかる太陽電池付き電子時計に用いられるリング状太陽電池２を示す図であり、（ａ）は斜視図、（ｂ）は要部を拡大した平面図である。
【００３５】
ここで使用するリング状太陽電池２は、帯状の基板に太陽電池を形成し、それを短冊状にして、丸めてリング状に形成している。図４（ｂ）に示すように、リング状太陽電池２は、厚さの薄い帯状の基板１４１上に発電領域１４２が形成されていて、このリング状太陽電池２が図４（ａ）に示したように環状に丸められた状態で見返しリング３の外周面を取り囲み、かつ発電領域１４２が見返しリング３側を臨むように配置されている。
【００３６】
なお、リング太陽電池２の、帯状の一方の端部近傍には、ムーブメント６と電気的に接続するための端子１４３が接続されている。また、このリング状太陽電池２は、図４（ａ）に示す丸められた状態で、一方の端部の非発電領域１４４が他方の端部近傍の発電領域１４２に重なる。そのため、リング状太陽電池２の周方向Ｒの全周に亘って途切れなく発電領域１４２が臨んでいるのではなく、両方の端部が重なる部分で、他方の端部の発電領域１４２が途切れている。
【００３７】
図５は本実施形態に係る太陽電池付き電子時計におけるリング状太陽電池２への光の入射経路を示した図である。
【００３８】
リング状太陽電池２に光が入射する経路は、図５に図示したＡ〜Ｃの３つである。Ａの経路は、風防ガラス１を通過した光が直接見返しリング３へ入射し透過性反射板８を通過してリング状太陽電池２に届く。Ｂの経路は、風防ガラス１を通過して文字板５の表面で反射した光が見返しリング３に入射し透過性反射板８を通過してリング状太陽電池２に届く。Ｃの経路は、風防ガラス１を通過して文字板５の表面と風防ガラス１との間で反射を繰り返した光が見返しリング３に入射し透過性反射板８を通過してリング状太陽電池２に届く。
【００３９】
Ａ〜Ｃの経路によって光をリング状太陽電池２に導くことができ、文字板５の表面で反射するＢやＣの経路もリング状太陽電池２に導かれるため、発電効率を高めることができる。文字板５の色を明るい色にすると、Ｂ及びＣの経路における文字板５の表面での反射光量が多くなり、リング状太陽電池２による発電効率をさらに高めることができる。
【００４０】
また、透過性反射板８は、光を反射する光学特性を有するため、鏡面となってリング状太陽電池２の視認を妨げる。さらに、この鏡面に、経路Ｂ及びＣのような文字板５の表面で反射して文字板５の色を反映した光が入射することによって、透過性反射板８に文字板５の色が映り込むので、見返しリング３が文字板５と同じ色に視認され、見栄えが良好になる。
【００４１】
従って、文字板５として、リング状太陽電池２とは異なる色のものを用いることによって、見返しリング３を文字板５の色に着色したのと同様な装飾効果を得ることができる。
【００４２】
特に、リング状太陽電池２よりも明るい色の文字板５を用いると、見返しリング３を明るい色に装飾できるとともに、リング状太陽電池２の発電効率も向上することができる。このように、本実施形態の構成にすることで、リング状太陽電池２の発電効率と見返しリング３の見栄えの両方を良好にすることができる。
【００４３】
図６は図２に示した実施形態に係る太陽電池付き電子時計における見返しリングの上面斜視図である。
【００４４】
見返しリング３は、風防ガラス１側の上端部に上面平坦部３ａを有し、さらに、上面平坦部３ａには、透過性反射板８の突起部１０を係止するための係止部として３つの凸部１１を設けている。この凸部１１は、後述するように、透過性反射板８の突起部１０を係止して透過性反射板８を固定するための手段であり、突起部１０を係止することができれば、円柱以外の形状のものを適用することができる。
【００４５】
図７は、透過性反射板８を見返しリング３の外周面に配置する方法について説明するための図であり、（ａ）は、見返しリング３の外周面に透過性反射板８を配置する前の状態を示し、（ｂ）〜（ｄ）は、透過性反射板８を見返しリング３に巻き付ける作業を始めて
から終えるまでの状態を示した図である。
【００４６】
透過性反射板８を見返しリング３の外周に配置するにあたっては、透過性反射板８を、見返しリング３の外周面に沿ったリング状に湾曲させながら組み込む必要がある。そして、真っ直ぐに延びた透過性反射板８を、このような形状に湾曲させる場合には、透過性反射板８自体の剛性により、透過性反射板８に元の真っ直ぐに延びた状態に戻ろうとして広がる力が強く働くような状態となる。従って、透過性反射板８の表面をピンセット等の冶具を用いて掴んで作業を行うと透過性反射板８の表面に傷や折り目がついてしまう。さらに、透過性反射板８を手で直接持って組み込み作業を行った場合には、透過性反射板８の表面に汚れ等が付着して、見返しリング３を介して視認されてしまう。
【００４７】
このように、透過性反射板８における帯状部８ａを冶具で掴んだり、手で持って作業するのは容易ではない場合もある。そこで、本実施例に於いては、図３に示すように、透過性反射板８に突起部１０を設け、以下に説明するように、突起部１０を持って透過性反射板８の組み込み作業ができるようにするとともに、見返しリング３に透過性反射板８を係止するための凸部１１を設け、突起部１０を見返しリング３への係止部も兼ねるようにした。
【００４８】
図７（ａ）に示すように、見返しリング３の上面平坦部３ａに設けた３つの凸部１１は、透過性反射板８の長手方向の両端部に設けた突起部１０が係止できる程度の間隔で互いに離間している。具体的には、各凸部１１の間隔は突起部１０における略Ｔ字形状の縦線の部分１０ａを挿入することができ、突起部１０における略Ｔ字形状の横線の部分１０ｂよりも狭い幅に設定している。
【００４９】
透過性反射板８を見返しリング３の外周面を囲むように配置する場合、図７（ｂ）に示すように、最初に、透過性反射板８に設けた略Ｔ字形状の突起部１０の一方を、見返しリング３側に９０度折り曲げて、見返しリング３の上面平坦部３ａに設けた２つの凸部１１間へ係合させて係止する。なお、このときに突起部１０を係合させる凸部１１は、図７（ｂ）における上部と中央部に設けた２つの凸部１１である。
【００５０】
次に、図７（ｃ）に示すように、透過性反射板８のもう一方の突起部１０を掴みながら、見返しリング３の外周面を囲むように透過性反射板８を見返しリング３の外周面に巻きつけていく、この際、一方の突起部１０が係止されているため、巻きつけやすく作業がやりやすい利点がある。
【００５１】
そして、図７（ｄ）に示すように、もう一方の突起部１０を、見返しリング３側に９０度折り曲げて見返しリング３の上面平坦部３ａに設けた凸部１１間へ係合させて係止することで、透過性反射板８を固定できる。なお、このときに突起部１０を係合させる凸部１１は図７（ｄ）における中央部と下部に設けた２つの凸部である。
【００５２】
このように、見返しリング３の外周面に対向して配置される帯状部８ａから突出するように透過性反射板８に設けた突起部１０を掴んで透過性反射板８の組み込み作業を行うため、透過性反射板８における見返しリング３の外周面に対向して配置される部分が汚れないし、突起部１０に傷や折り目がついても完成状態の太陽電池付き電子時計２０では視認されることがない。従って、本実施形態に示した構成によって、透過性反射板８における視認される部分を傷つけたり汚したりすることなく、組み立て作業をしやすくすることができた。
【００５３】
また、透過性反射板８の両端部は、透過性反射板８を見返しリング３の外周に配置した際、極わずかに重なるような長さに設定するのがよい。
【００５４】
具体的には、見返しリング３の凸部１１に突起部１０が係止した状態において、図７（ｄ）に示す２つの突出部１０の離間距離をＬとし、図３（ａ）に示す透過性反射板８の一方の端部側に設けた突出部１０から他方の端部が突出する突出長さをＬａ、透過性反射板８の他方の端部側に設けた突出部１０から他方の端部が突出する突出長さをＬｂとしたときに、これらの長さの関係をＬａ＋Ｌｂ＞Ｌとなるように設定している。
【００５５】
これにより、透過性反射板８を見返しリング３の外周に配置すると、必ず、透過性反射板８の両端部が重なることとなる。この状態では、透過性反射板８の一方の端部は、透過性反射板８における帯状部８ａの内側の面と重なり、透過性反射板８の他方の端部は、透過性反射板８における帯状部８ａの外側の面と重なっている。
【００５６】
仮に、透過性反射板８の両端部が互いに対向する場合、この対向した部分に生じる微妙な隙間や、２つの端部が同じ位置にあって強調されることにより、透過性反射板８の両端部が境界線となって見返しリング３を介して視認され、目立ってしまうため外観上好ましくはない。
【００５７】
これに対し、透過性反射板８の両端部が重なると、一方の端部は帯状部８ａの背面側に隠れ、他方の端部だけが視認される位置にあり、両端部に微妙な隙間が生じたり、端部が強調されることがなく、透過性反射板８の端部が目立ち難くなる。
【００５８】
透過性反射板８の両端部を重ねる位置は、６時側における３時位置〜９時位置になるように組み込むことが好ましい。この範囲は、腕時計を腕につけた際に、通常、時刻を視認する姿勢では、ベゼル等によって死角となり、透過性反射板８の両端部を重ねた部分の視認が妨げられる。
【００５９】
特に、透過性反射板８の両端部を重ねる位置が６時位置になるように組み込むことにより、通常、時刻を視認する姿勢では、最も視認されにくくなる。
【００６０】
従って、見返しリング３の凸部１１は、３時位置〜９時位置に設けるのが好ましく、６時位置に設けるのが最も好ましい。
【００６１】
また、見返しリング３を介して視認可能な位置に配置される透過性反射板８の一方の端部または両端部は、文字板５上に設けた植字等の搭載物の位置に合わせても視認されにくくすることができる。
【００６２】
これは、文字板５の搭載物が、鏡として作用する光透過性反射板８に見返しリング３を介して写り、これが、透過性反射板８の端部又は両端部と重なって視認されることにより、透過性反射板８の端部又は両端部が見立たなくなるからである。
【００６３】
このように、本実施形態によれば、見返しリング８の外周に光透過性反射板８を配置した簡単な構造で、見返しリング３に容易に装飾効果を付与することができる。しかも、シート状の大きな透過性反射板から所要の幅、長さに切断加工や抜き加工をした透過性反射板８などの、透過率や色味にばらつきの少ない透過性反射板を用いることができ、見返しリング３の外観のばらつきを少なくすることができる。
【００６４】
図８は、本発明における太陽電池付き電子時計の第１の変形例を示す図であり、（ａ）は透過性反射板８の平面図、（ｂ）は見返しリング３の凸部１１付近を示した図、（ｃ）は透過性反射板８を配置した状態で見返しリング３の凸部１１付近を示した図である。
【００６５】
第１の変形例は、見返しリング３の外周に配置する透過性反射板８を、前途の実施形態とは別の形態で固定している。
【００６６】
この変形例が図１〜図７に示した実施形態と異なるのは、透過性反射板８の突起部１０及び見返しリング３の凸部１１の構成だけであり、これ以外の構成は同一であるため説明を省略する。
【００６７】
本変形例では、図８（ｂ）に示すように、見返しリング３の上面平坦部３ａには、係止部である凸部１１を１箇所に１つだけ設けている。凸部１１の形状は丸形であるが矩形でも良い。図８（ａ）に示すように、透過性反射板８の両端部近傍に形成された突起部１０は、外形が矩形形状であり、その中心に丸形形状の孔が開いている。
【００６８】
透過性反射板８を見返しリング３の外周に配置する場合、最初に透過性反射板８に設けた一方の突起部１０の孔を、見返しリング３の上面平坦部３ａに設けた凸部１１へ係合させて突起部１０を係止する。
【００６９】
そして、透過性反射板８のもう一方の突起部１０を持ちながら、見返しリング３の外周面を囲むように透過性反射板８を巻きつけていく、この際、一方の突起部１０が係止されているため、透過性反射板８の巻きつけ作業がやりやすい利点がある。そして、もう一方の突起部１０は、最初に見返しリング３へ係止した丸型凸部１１に、一方の突起部１０の孔を係合させて係止する。この状態を図８（ｃ）に示す。
【００７０】
これにより、１つの凸部１１だけで透過性反射板８の両方の突起部１０を係止して、透過性反射板８を固定することができ、見返しリング３の形状が簡素化できる。しかも、この構成によって、透過性反射板８の両端部は、互いに対向することがなく、必ず重ね合わせられることとなり、透過性反射板８の端部が視認されにくくなり、外観が良好となる。
【００７１】
図９は、本発明における太陽電池付き電子時計の第２の変形例を示す図であり、（ａ）は、透過性反射板８の平面図、（ｂ）は、透過性反射板８の側面図、（ｃ）は、太陽電池保持部材９の段差部９ａ付近を示した図、（ｄ）は、透過性反射板８を配置した状態で太陽電池保持部材９の段差部９ａ付近を示した図、（ｅ）は、透過性反射板８を配置した状態で透過性反射板８付近を拡大して示した太陽電池付き電子時計の断面図である。
【００７２】
第２の変形例は、見返しリング３の外周に配置する透過性反射板８を、前途の実施形態及び第１の変形例とは別の形態で固定している。
【００７３】
この変形例が図１〜図７に示した実施形態と異なるのは、透過性反射板８を太陽電池保持部材９に固定する構成だけであり、それ以外の構成は同一であるため説明を省略する。
【００７４】
図９（ｃ）と図９（ｅ）に示すように、本変形例では、太陽電池保持部材９の上面の一部に段差部９ａを設け、さらに、太陽電池保持部材９の外周部には、凹部９ｂを設けている。段差部９ａは太陽電池保持部材９の上面に対し、透過性反射板８の厚さ以上低い凹状に形成され、この段差部９ａに凹部９ｂが繋がっている。
【００７５】
帯状に形成された透過性反射板８の両端部近傍に設けた突起部１０は、図９（ａ）と図９（ｂ）に示すように、太陽電池保持部材９の段差部９ａと凹部９ｂとに引っ掛けることができる鍵状に形成されている。
【００７６】
具体的には、この突起部１０は、２箇所で折り曲げられ、１箇所は、透過性反射板８の帯状部８ａに近い位置で太陽電池保持部材９側に９０度折り曲げられ、もう１箇所は、透
過性反射板８の帯状部８ａから離れた位置で文字板５側に９０度折り曲げられている。これにより、突起部１０は、段差部９ａに配置される水平部１０ｊと凹部９ｂに配置される垂直部１０ｋとを有する略Ｌ字形状に形成される。そして、透過性反射板８を太陽電池保持部材９の内周部に沿うように配置した際、突起部１０は、太陽電池保持部材９の段差部９ａと凹部９ｂとに引っ掛けられる。
【００７７】
透過性反射板８を太陽電池保持部材９の内周部に沿うように配置する場合、最初に透過性反射板８に設けた突起部１０の一方を、太陽電池保持部材９の段差部９ａと凹部９ｂとに引っ掛けて固定する。
そして、透過性反射板８のもう一方の突起部１０を持ちながら、太陽電池保持部材９の内周部に沿って巻きつけていく、この際、一方の突起部１０が係止されているため、太陽電池保持部材９の内周部に沿って配置するときに透過性反射板８が回転方向に動かず、作業がやりやすい利点がある。
【００７８】
最後にもう一方の突起部１０を、最初に係止した段差部９ａ及び凹部９ｃと同じ場所に係合させて係止する。透過性反射板８を太陽電池保持部材９の内周部に配置した状態を図９（ｄ）に示す。
【００７９】
このように、２つの突起部１０を、同じ段差部９ａ及び凹部９ｂに係止することで、太陽電池保持部材９の形状が簡素化できるほか、透過性反射板８の両端面が重ね合わさることで、前途のように、透過性反射板８の端部に生じる境界線を目立たなくすることができる。
【００８０】
尚、本変形例において、透過性反射板８の突起部１０の垂直部１０ｋと、太陽電池保持部材９の凹部９ｂが無くても、突起部１０の水平部１０ｊと段差部９ａだけで透過性反射板８の突起部１０を係止できれば、垂直部１０ｋと凹部９ｂを設けない構成にしても良い。本変形例は、段差部９ａ、又は、段差部９ａと凹部９ｂとが、突起部１０を係止する係止部である。
【００８１】
尚、透過性反射板８の突起部１０を太陽電池保持部材９側に折り曲げた方が、見返しリング３側に折り曲げた場合と比較して、透過性反射板８を太陽電池付き電子時計２０内に組込む作業が容易になる利点がある。これは、透過性反射板８の突起部１０を太陽電池保持部材９側に折り曲げると、突起部１０が外側を向くため、突起部１０を持った手が、透過性反射板８が配置される円形の配置部よりも、大きな円を描くようにして透過性反射板８を組込む作業ができるからである。これに対し、透過性反射板８の突起部１０を見返しリング３側に折り曲げた場合には、突起部１０を持った手が、透過性反射板８が配置される円形の配置部よりも、小さな円を描くようにして透過性反射板８を組込むこととなる。
【００８２】
図１０は本発明における太陽電池付き電子時計の第３の変形例を示す図であり、（ａ）は、透過性反射板１２の平面図、（ｂ）は透過性反射板１２の上面図、（ｃ）は、透過性反射板１２を見返しリング３の外周に配置した状態の図である。
【００８３】
この変形例が図１〜図７に示した実施形態と異なるのは、透過性反射板１２の構成だけであり、これ以外の構成は同一であるため説明を省略する。
【００８４】
この変形例の透過性反射板１２は、光を反射する光学特性を付与するために、ＰＥＴ樹脂等の薄層を多層に積層するのではなく、図１０に示すように、片面にプリズム１３が形成されている。
【００８５】
透過性反射板１２は、アクリル樹脂、ポリエチレンテレフタレート（ＰＥＴ）、ポリエ
チレンナフタレート（ＰＥＮ）などから構成されている。透過性反射板１２のプリズム１３はそれぞれが三角柱の形状である。三角柱の底面が透過性反射板１２の面方向と平行であり、三角柱の稜線が、透過性反射板１２の幅方向Ｈに一致し、隣合う三角柱どうしが離間せずに、透過性反射板１２の長手方向に並べて配置されている。プリズム１３のピッチは５０μｍ〜１５０μｍであり、プリズム１３の２つの側面が成す山及び谷の部分の角度がいずれも９０度である。透過性反射板１２のプリズム１３が形成されている面が、リング状太陽電池２に対向する以外は、透過性反射板１２の太陽電池付き電子時計２０内への配置は、前述の実施形態の透過性反射板８と同様である。
【００８６】
見返しリング３を透過して透過性反射板１２に入射した光は、透過性反射板１２に形成されたプリズム１３よって、リング状太陽電池２に進む光と、見返しリング３側に反射する光に分離される。なお、プリズム１３の側面が成す角度を９０度よりも小さくすると、見返しリング３側に反射する光の一部が、プリズム１３で拡散されて白濁したように視認される。このように、プリズム１３を形成した透過性反射板１２を用いても、時計が駆動できる程度に発電可能な透過率が得られ、プリズム１３で反射される光により、文字板５の色が透過性反射板１２に映り、リング状太陽電池２が視認されることがなく、見栄えを良好にすることができる。
【００８７】
尚、プリズム１３は、三角柱の稜線が、透過性反射板１２の長さ方向に向くように形成したり、プリズム１３を見返しリング３側に向けて太陽電池付き電子時計２０内に組込むことが可能である。
【００８８】
但し、三角柱の稜線が、透過性反射板１２の長さ方向に向くようにプリズム１３を形成した場合には、プリズム１３に変形や亀裂を生じさせる応力が作用しやすくなる。これは、プリズム１３の底面から突出する山の頂部が、透過性反射板１２の長さ方向に沿って連続して形成されるとともに、山の高さに応じた寸法だけ、プリズム１３の底面よりも大きな円を描いて外周側に突出して配置されることで、透過性反射板１２をリング状に曲げた状態では、プリズム１３の山の頂部が、透過性反射板１２の長さ方向に引っ張られるためである。
【００８９】
これに対し、図１０の向きにプリズム１３を形成すると、プリズム１３どうしの谷の部分の厚さが薄く変形しやすいため、プリズム１３を変形したり亀裂を生じさせる応力が生じにくくなる。
【００９０】
図１１は、本発明における太陽電池付き電子時計の第４の変形例を示す図であり、（ａ）は、透過性反射板８の平面図、（ｂ）は、透過性反射板８の両端部を係合した状態で拡大した平面図、（ｃ）は、透過性反射板８の両端部が係合しない状態で拡大した平面図である。
【００９１】
この変形例が図１〜図７に示した実施形態と異なるのは、透過性反射板８の突起部１０を見返しリング３や太陽電池保持部材９に係止せず、あらかじめリング状に形成した透過性反射板８を、太陽電池付き電子時計２０内へ配置すること、及び、突起部１０の形状であり、それ以外の構成は同一であるため説明を省略する。
【００９２】
本変形例の透過性反射板８に形成した突起部１０ｃ、１０ｄは、突起部１０ｃを突起部１０ｄに係止することで、透過性反射板８をリング状に固定できるように構成している。
【００９３】
図１１（ｃ）に示すように、突起部１０ｃは、中間部１０ｃ１と狭幅部１０ｃ２と広幅部１０ｃ３とを有している。中間部１０ｃ１は、透過性反射板８の帯状部８ａの一方の端部に、帯状部８ａの幅方向に突出するように形成され、狭幅部１０ｃ２は、中間部１０ｃ
１に、帯状部８ａの他方の端部近傍から一方の端部に向かう帯状部８ａの長さ方向に、中間部１０ｃ１から突出するように形成され、広幅部１０ｃ３は、狭幅部１０ｃ２の幅よりも広い幅で、狭幅部１０ｃ２の端部に形成されている。
【００９４】
突出部１０ｄは、透過性反射板８の帯状部８ａの他方の端部に、中間部１０ｃ１と同じ方向に突出するように形成され、突出方向に切り込み部１０ｄ１が形成されている。切り込み部１０ｄ１の切り込み長さは、狭幅部１０ｃ２の幅よりも長く、且つ、広幅部１０ｃ３の幅よりも短い長さに設定されている。
【００９５】
突起部１０ｃと１０ｄは、見返しリング３側か、又は、太陽電池保持部材９側に９０度折り曲げられる。
【００９６】
図１１（ｂ）は、突起部１０ｃの広幅部１０ｃ３が、切り込み部１０ｄ１に挿入されて通り抜け、狭幅部１０ｃ２が切り込み部１０ｄ１内に位置する状態である。この状態では、広幅部１０ｃ３が切り込み部１０ｄ１の両端に引っ掛かり、突起部１０ｄに突起部１０ｃが係合することで、透過性反射板８は、図１１（ａ）に示すようにリング状に保たれている。図１１（ａ）に示したリング状の透過性反射板８は、太陽電池付き電子時計２０内に容易に配置することができる。図１１（ａ）は、突起部１０ｃ及び１０ｄを、見返しリング３側に９０度折り曲げた例であるが、これらを、太陽電池保持部材９側に９０度折り曲げても良い。
【００９７】
図１２は、本発明における太陽電池付き電子時計の第５の変形例を示す図であり、（ａ）は、透過性反射板８の両端部が係合しない状態で拡大した斜視図、（ｂ）は、透過性反射板８の両端部を係合した状態で拡大した斜視図である。
【００９８】
この変形例が図１１に示した第４の変形例と異なるのは、透過性反射板８の突起部１０の形状であり、それ以外の構成は同一であるため説明を省略する。
【００９９】
本変形例の透過性反射板８に形成した突起部１０ｃ、１０ｄは、透過性反射板８の帯状部８ａのそれぞれの端部の近傍に、帯状部８ａの幅方向で互いに同じ方向に突出するようにＬ字形状に形成されている。
【０１００】
突起部１０ｃ、１０ｄは、それぞれ、第１突起部１０ｃ１１、１０ｄ１１と、第２突起部１０ｃ１２、１０ｄ１２とを有している。
【０１０１】
第１突起部１０ｃ１１、１０ｄ１１は、図１２（ａ）に示すように、帯状部８ａの長辺部から、帯状部８ａの幅方向を向く細長形状に形成されている。第２突起部１０ｃ１２、１０ｄ１２は、図１２（ａ）に示すように、第１突起部１０ｃ１１、１０ｄ１１の端部から帯状部８ａの中心側を向く細長形状に形成されている。
【０１０２】
図１２（ｂ）に示すように、突起部１０ｃ、１０ｄを互いに引っ掛けて係合することができ、この状態にすることで、透過性反射板８がリング状に保たれ、透過性反射板８を、太陽電池付き電子時計２０内に容易に配置することができる。
【０１０３】
図１２（ａ）、（ｂ）は、突起部１０ｃ及び１０ｄを見返しリング３側に９０度折り曲げた例であるが、これらを、太陽電池保持部材９側に９０度折り曲げても良い。
尚、透過性反射板８がリング状に保持できれば、変形例４や変形例５以外の手段で、透過性反射板８の両端部を係合させても良い。透過性反射板８は、リング状に形成してから、太陽電池付き電子時計２０内へ組み込むことで、透過性反射板８の組込み作業がやりやすくなる。
【０１０４】
尚、本実施形態及び各変形例では、透過性反射板８に突起部１０を設けているが、突起部１０を設けなくても透過性反射板８を太陽電池付き電子時計２０に組込むことが可能である。例えば、透過性反射板８を太陽電池付き電子時計２０に組込んだ状態で、透過性反射板８における風防ガラス１側が、その上に位置する時計ケース７に遮られて視認されなければ、この視認されない部分を持って、透過性反射板８を太陽電池付き電子時計２０内に組込むことができる。また、透過性反射板８の両端部を傷つけないように、柔軟な素材で把持部を形成した専用の治具を用いて、透過性反射板８を太陽電池付き電子時計２０内に組込むことも可能である。
【０１０５】
さらに、透過性反射板８に突起部１０を設けない場合における、透過性反射板８の別の組込み方として、リング状太陽電池２を環状に丸める前の真っ直ぐに延びた状態で、リング状太陽電池２の発電領域１４２が形成された面に、透過性反射板８を接着等で貼り付け、透過性反射板８を一体化したリング状太陽電池２を環状に丸めて、太陽電池保持部材９に組込むことも可能である。
【０１０６】
また、本実施形態及び各変形例では、透過性反射板８の突起部１０を、帯状部８ａの両端部近傍だけに設けているが、帯状部８ａの中央部などの両端部近傍以外に追加しても良い。その場合は、追加した突起部１０に係合する係止部を、見返しリング３又は太陽電池保持部材９に形成すると良い。
【０１０７】
また、本実施形態及び第１の変形例から第３の変形例では、透過性反射板８，１２の帯状部８ａの両端部近傍に設けた突起部１０を、文字板５とは反対側に突出させているが、突起部１０を、文字板５側に突出させても良い。この場合は、突起部１０を係止する係止部を、見返しリング３の下面又は太陽電池保持部材９の下面に設け、突起部１０を、見返しリング３又は太陽電池保持部材９側に折り曲げて、いずれかの係止部に係止すれば良い。
【０１０８】
同様に、第４の変形例及び第５の変形例において、透過性反射板８の突起部１０ｃ，１０ｄを、文字板５とは反対側に突出するように帯状部８ａに設け、これらの突起部１０ｃ，１０ｄを互いに係合した状態で、見返しリング３の下面又は太陽電池保持部材９の下面側に折り曲げても良い。
【０１０９】
また、第１の変形例から第３の変形例の透過性反射板８，１２は、突起部１０を、各変形例で例示した向きと逆向きに折り曲げても良い。例えば、第１及び第３の変形例では、突起部１０を太陽電池保持部材９側に折り曲げて、これを係止する係止部を太陽電池保持部材９に形成しても良いし、第２の変形例では、突起部１０を見返しリング３側に折り曲げて、これを係止する係止部を見返しリング３に形成しても良い。
【０１１０】
また、本実施形態及び第１の変形例から第３の変形例において、突起部１０を太陽電池保持部材９側に折り曲げるように構成した場合には、突起部１０を係止する専用の係止部材を太陽電池付き電子時計２０内に設けることも可能である。
【０１１１】
また、本実施形態及び各変形例では、透過性反射板８の両端部を重ねて太陽電池付き電子時計２０内に組込む例を示したが、例えば、一方の端部が１０時位置、他方の端部が２時位置にあり、１０時位置〜２時位置の間は透過性反射板８の両端部を離間させる構成とし、離間した部分を太陽電池付き電子時計２０のデザインとして利用することも可能である。
【０１１２】
また、本実施形態、第１の変形例、及び、第３の変形例では、見返しリング３に形成し
た凸部１１が上面平坦面３ａから突出しているが、例えば、見返しリング３に、上面平坦部３ａに対して凹ませた段差部を形成し、段差部内に凸部１１を形成して、凸部１１の上端部が、上面平坦面３ａから突出しないようにしても良い。
【符号の説明】
【０１１３】
１…風防ガラス
２…リング状太陽電池
３…見返しリング
３ａ…上面平坦部
４…指針
５…文字板
６…ムーブメント
７…時計ケース
８…透過性反射板
９…太陽電池保持部材
９ａ…段差部
１０…突起部
１１…凸部
１２…透過性反射板
１３…プリズム
２０…太陽電池付き電子時計
１４１…基板
１４２…発電領域
１４３…端子
１４４…非発電領域
【図１】
0006474326.tif 000002
【図２】
0006474326.tif 000003
【図３】
0006474326.tif 000004
【図４】
0006474326.tif 000005
【図５】
0006474326.tif 000006
【図６】
0006474326.tif 000007
【図７】
0006474326.tif 000008
【図８】
0006474326.tif 000009
【図９】
0006474326.tif 000010
【図１０】
0006474326.tif 000011
【図１１】
0006474326.tif 000012
【図１２】
0006474326.tif 000013